(57)【要約】  【課題】  従来より薄型化しつつ光記録媒体に対する再生や記録を安定して行うことができる光ヘッド装置を提供する。  【解決手段】  光ヘッド装置は、発光素子と、信号検出用受光素子と、発光素子から光記録ディスクに向かう光路および光記録ディスクから信号検出用受光素子に向かう光路を構成する光学系と、該光学系を構成する光学素子としての対物レンズを保持し、該対物レンズを駆動する対物レンズ駆動装置とが装置フレームに搭載された光ヘッド装置において、装置フレームは、対物レンズ駆動装置を内側に配設された枠体部材であるメインフレーム２１を有し、メインフレーム２１の内壁側であって一対の延設部２２０ａ、２２０ｂには、光路を光記録ディスク側に立ち上げる光学素子としての立ち上げミラー５９が固定されるとともに、この一対の延設部２２０ａ、２２０ｂを連結する連結部材１００が固定されていることを特徴とする。【選択図】  図１１
2008299916.tif 000002
【特許請求の範囲】
【請求項１】
発光素子と、信号検出用受光素子と、前記発光素子から光記録ディスクに向かう光路および前記光記録ディスクから前記信号検出用受光素子に向かう光路を構成する光学系と、該光学系を構成する光学素子としての対物レンズを保持し、該対物レンズを駆動する対物レンズ駆動装置とが装置フレームに搭載された光ヘッド装置において、
前記装置フレームは、前記対物レンズ駆動装置を内側に配設された枠体部材であるメインフレームを有し、
該メインフレームの内壁側であって２箇所の固定部には、前記光路を前記光記録ディスク側に立ち上げる前記光学素子としての立ち上げミラーが固定されるとともに、この２箇所の固定部を連結する連結部材が固定されていることを特徴とする光ヘッド装置。
【請求項２】
前記立ち上げミラーは、前記連結部材に固定されていることを特徴とする請求項１に記載の光ヘッド装置。
【請求項３】
前記装置フレームは、前記発光素子、前記信号検出用発光素子および前記光学系を構成する前記対物レンズを除く他の光学素子の少なくとも一部が搭載された金属製のサブフレームを備え、
前記サブフレームは、樹脂からなるメインフレームの内側に配設されていることを特徴とする請求項１又は請求項２に記載の光ヘッド装置。
【請求項４】
前記連結部材は、少なくとも前記立ち上げミラーの一部が外部に露出する切り欠き部を有し、
該切り欠き部には、前記立ち上げミラーと前記連結部材とに跨るように接着剤が満たされていることを特徴とする請求項１から請求項３までの何れかに記載の光ヘッド装置。
【発明の詳細な説明】
【技術分野】
【０００１】
本発明は、ＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）などの光記録媒体の再生および記録の少なくとも一方を行う光ヘッド装置に関するものである。
【背景技術】
【０００２】
ＣＤやＤＶＤなどの光記録ディスクの再生、記録等に用いられる光ヘッド装置では、発光素子、信号検出用受光素子、発光素子から光記録ディスクに向かう光路および光記録ディスクから信号検出用受光素子に向かう光路を構成する光学系が装置フレームに搭載されている（例えば、特許文献１参照）。
【特許文献１】特開２００５−０１１３９６号公報
【発明の開示】
【発明が解決しようとする課題】
【０００３】
しかしながら、従来の光ヘッド装置においては、光路を光記録ディスク側に立ち上げる立ち上げミラーがフレームの上に設置されているので、薄型化の要請に対応することができないという問題がある。
【０００４】
一方で、薄型化した場合には、フレームの剛性が低下してフレームが共振し易くなり、その結果としてフレームに固定された立ち上げミラーが共振し易くなるので、立ち上げミラーから対物レンズへの入射光が不安定になり、光記録媒体に対する再生や記録を安定して行うことができないという問題がある。
【０００５】
そこで、本発明は、従来より薄型化しつつ光記録媒体に対する再生や記録を安定して行うことができる光ヘッド装置を提供することを目的とする。
【課題を解決するための手段】
【０００６】
本発明の光ヘッド装置は、発光素子と、信号検出用受光素子と、前記発光素子から光記録ディスクに向かう光路および前記光記録ディスクから前記信号検出用受光素子に向かう光路を構成する光学系と、該光学系を構成する光学素子としての対物レンズを保持し、該対物レンズを駆動する対物レンズ駆動装置とが装置フレームに搭載された光ヘッド装置において、前記装置フレームは、前記対物レンズ駆動装置を内側に配設された枠体部材であるメインフレームを有し、該メインフレームの内壁側であって２箇所の固定部には、前記光路を前記光記録ディスク側に立ち上げる前記光学素子としての立ち上げミラーが固定されるとともに、この２箇所の固定部を連結する連結部材が固定されていることを特徴とする。
【０００７】
この構成により、本発明の光ヘッド装置は、メインフレームの内壁側の２箇所の固定部で立ち上げミラーが固定されるので、従来より薄型化することができる。また、本発明の光ヘッド装置は、２箇所の固定部を連結する連結部材を有しており、薄型化してもメインフレームの剛性を維持することができるので、メインフレームの共振を抑えることができ、結果としてメインフレームに固定された立ち上げミラーの共振も抑えることができる。したがって、本発明の光ヘッド装置は、立ち上げミラーから対物レンズへの入射光を安定化させることができるので、光記録媒体に対する再生や記録を安定して行うことができる。
【０００８】
本発明の光ヘッド装置の前記立ち上げミラーは、前記連結部材に固定されていることが好ましい。
【０００９】
この構成により、本発明の光ヘッド装置は、立ち上げミラーの周辺の剛性を向上することができるので、立ち上げミラーから対物レンズへの入射光を安定化させることができ、光記録媒体に対する再生や記録をより安定して行うことができる。
【００１０】
本発明の光ヘッド装置の前記装置フレームは、前記発光素子、前記信号検出用発光素子および前記光学系を構成する前記対物レンズを除く他の光学素子の少なくとも一部が搭載された金属製のサブフレームを備え、前記サブフレームは、樹脂からなるメインフレームの内側に配設されていることが好ましい。
【００１１】
この構成により、本発明の光ヘッド装置は、それ自体では剛性が低い樹脂製のメインフレームであっても連結部材によって立ち上げミラーの周辺の剛性を向上することができるので、立ち上げミラーから対物レンズへの入射光を安定化させることができ、光記録媒体に対する再生や記録をより安定して行うことができる。
【００１２】
本発明の光ヘッド装置の前記連結部材は、少なくとも前記立ち上げミラーの一部が外部に露出する切り欠き部を有し、該切り欠き部には、前記立ち上げミラーと前記連結部材とに跨るように接着剤が満たされていることが好ましい。
【００１３】
この構成により、本発明の光ヘッド装置は、切り欠き部に接着剤を満たすだけで立ち上げミラーと連結部材とを十分に接着することができる。
【発明の効果】
【００１４】
本発明によれば、従来より薄型化しつつ光記録媒体に対する再生や記録を安定して行うことができる光ヘッド装置を提供することができる。
【発明を実施するための最良の形態】
【００１５】
図面を参照して、本発明を適用した光ヘッド装置の一例を説明する。なお、以下の説明では、対物レンズが見える側を上面とし、その反対側を下面としてある。
【００１６】
［全体構成］
図１は、本発明を適用した光ヘッド装置の平面図である。図２（ａ）〜（ｅ）は各々、図１に示す光ヘッド装置において、フレキシブル基板の一部を除去してその本体部分を拡大した平面図、底面図、左側面図、右側面図、およびＯ−Ｏ断面図である。図３（ａ）、（ｂ）は各々、図１に示す光ヘッド装置の本体部分から上面カバー、下面カバーおよびアクチュエータカバーを取り外した状態の平面図および底面図である。図４（ａ）〜（ｅ）は各々、図３に示す状態からフレキシブル基板および対物レンズ駆動機構を取り外した状態の平面図、底面図、左側面図、右側面図、およびＮ−Ｎ断面図である。図５（ａ）〜（ｃ）は各々、図４に示す状態からサブフレームを抜き出して示す平面図、底面図、およびＪ−Ｊ断面図である。
【００１７】
図１および図２に示すように、本発明を適用した光ヘッド装置１は、装置フレーム２の両端の各々に、ディスク駆動装置の送りねじ軸やガイド軸が係合する第１の軸受部２１１および第２の軸受部２１２が形成されており、光記録ディスクの半径方向に駆動されるようになっている。装置フレーム２の一方側の側面は、ディスク駆動機構のスピンドルモータ（図示せず）に接近した際の干渉を防止するために円弧状に湾曲している。
【００１８】
装置フレーム２の上面側では略中央に対物レンズ９１が位置し、対物レンズ９１に対して第１の軸受部２１１が位置する側には、薄い金属板からなる上面カバー６が被せられている。上面カバー６は、装置フレーム２の上面を覆う上板部６１と、この上板部６１の一方の側端縁から下方に屈曲して装置フレーム２の側面に形成されている突起に係合する第１の側板部６２と、上板部６１の他方の側端縁から下方に屈曲して装置フレーム２の側面に形成されている突起に係合する第２の側板部６３とを備えている。
【００１９】
装置フレーム２の底面側には、薄い金属板からなる下面カバー８が被せられており、この下面カバー８は、装置フレーム２の下面を覆う下板部８１と、この下板部８１の一方の側端縁から上方に屈曲して装置フレーム２の側面に形成されている突起に係合する第１の側板部８２と、他方の側端縁から上方に屈曲して装置フレーム２のスリット内に嵌って下面カバー８を装置フレーム２に搭載された状態を保持する弾性力を発揮する第２の側板部８３とを備えている。
【００２０】
装置フレーム２において、対物レンズ９１に対して第２の軸受部２１２が位置する側から左側領域にかけては、薄い金属板からなるアクチュエータカバー７が被せられている。
【００２１】
図１および図２に示すフレキシブル基板３の本体部分は、図３に示すように、アクチュエータカバー７および上面カバー６の下側において装置フレーム２の上面を覆うように配置されており、このフレキシブル基板３の下面には、後述するツインレーザ光源４などに対する駆動や対物レンズ駆動機構９などに対する制御を行うための駆動用ＩＣ３０が実装されている。また、フレキシブル基板３では、上面カバー６から第１の軸受部２１１の側に向けて２本の端部３１、３２が延びており、これらの端部３１、３２に形成された配線パターンは、後述する信号検出用受光素子５５に電気的に接続している。さらに、フレキシブル基板３は、後述するツインレーザ光源４およびモニター用の受光素子に配線パターンが電気的に接続された端部３３、３４も備えている。
【００２２】
ここで、装置フレーム２は、図６および図７を参照して後述するメインフレーム２１と、図８および図９を参照して後述する金属製のサブフレーム２２とを備えており、サブフレーム２２は、メインフレーム２１の内側に配置された状態でメインフレーム２１に保持されている
図３、図４および図５に示すように、光ヘッド装置１は、波長が６５０ｎｍ帯の第１のレーザ光（赤外光）、および波長が７８０ｎｍ帯の第２のレーザ光（外赤外光）を用いてＤＶＤ系ディスクおよびＣＤ系ディスクに対する情報の記録、再生が可能な２波長光ヘッド装置１であり、装置フレーム２上には、第１のレーザ光を出射するＡｌＧａＩｎＰ系のレーザダイオードと、第２のレーザ光を出射するＡｌＧａＡｓ系のレーザダイオードとを一体に備えた発光素子であるツインレーザ光源４が搭載されている。ここで、第１のレーザ光および第２のレーザ光は、ツインレーザ光源４から光記録ディスクに向かう光路に配置された複数の光学素子からなる共通の光学系を介して光記録ディスクであるＤＶＤ系ディスクあるいはＣＤ系ディスクに導かれ、この光学系を構成する光学素子も装置フレーム２上に搭載されている。また、光記録ディスクからの戻り光も、共通の光学系を介して共通の信号検出用受光素子５５に導かれ、かかる戻り光に対する光路を規定する光学素子、および信号検出用受光素子５５も装置フレーム２に搭載されている。
【００２３】
本形態の光ヘッド装置１において、共通の光学系には、ツインレーザ光源４から出射された第１および第２のレーザ光をトラッキング検出用に３ビームに回折する回折素子５１と、回折素子５１により３ビームに分離したレーザ光を部分反射するハーフミラー５２と、ハーフミラー５２からのレーザ光を平行光にするコリメートレンズ５３と、この平行光を光記録ディスクに向けて立ち上げる立ち上げミラー５９と、立ち上げミラー５９からのレーザ光を光記録ディスクの記録面に収束させる対物レンズ９１とが含まれている。また、共通の光学系には、光記録ディスクの記録面で反射された後に、コリメートレンズ５３およびハーフミラー５２を通過した第１および第２のレーザ光の戻り光に非点収差を付与するためのセンサーレンズ５４も含まれている。なお、ハーフミラー５２に対して回折素子５１とは反対側にはフロントモニタ用受光素子５６が配置されている。
【００２４】
ここで、図１０（ａ）、（ｂ）は各々、図２に示す光ヘッド装置を斜め下方から見たときの斜視図、およびＰ−Ｐ断面図である。
【００２５】
対物レンズ９１は、対物レンズ駆動装置である対物レンズ駆動機構９によってトラッキング方向およびフォーカシング方向の位置がサーボ制御されるようになっており、このような対物レンズ駆動機構９も装置フレーム２に搭載されている。本形態では、対物レンズ駆動機構９としてワイヤサスペンション方式のものを用いており、かかる対物レンズ駆動機構９としては周知のものを用いることができるので、詳細な説明を省略するが、対物レンズ９１を保持しているレンズホルダ９６と、このレンズホルダ９６を複数本のワイヤでトラッキング方向およびフォーカシング方向に移動可能に支持しているホルダ支持部９８と、装置フレーム２に固定されたヨーク９２とを備えている。対物レンズ駆動機構９は、傾角調整用のネジ９３１によってメインフレーム２１に固定されているので、メインフレーム２１に対する傾角がネジ９３１によって調整されることができる。
【００２６】
このヨーク９２には、底面から上方側に向かって直角に折曲した一対の折曲部９４ａ、９４ｂが延設され、この折曲部９４ａ、９４ｂの先端側には、双方に跨るようにしてＬ型のヨークカバー９５が固定されている。なお、このヨークカバー９５は、図１に示すように、３箇所７０で接着剤によりアクチュエータカバー７に接着固定されている。さらに、折曲部９４ａ、９４ｂの対向面には駆動マグネット９３が固定されている。また、対物レンズ駆動機構９は、レンズホルダ９６に取り付けられた駆動コイル９７と、ヨーク９２に取り付けられた駆動マグネット９３とにより構成される磁気駆動回路を備えており、駆動コイル９７に対する通電を制御することにより、レンズホルダ９６に保持された対物レンズ９１を光記録ディスクに対してトラッキング方向およびフォーカシング方向に駆動する。なお、対物レンズ駆動機構９は、対物レンズ９１のジッタ方向の傾きを調整するチルト制御も可能である。
【００２７】
このように構成した光ヘッド装置１において、ツインレーザ光源４から出射された第１および第２のレーザ光は、回折素子５１を透過した後、一部がハーフミラー５２の部分反射面によって反射され、その光軸が９０度折り曲げられてコリメートレンズ５３に向かう。そして、コリメートレンズ５３で平行光化されたレーザ光は、立ち上げミラー５９でその光軸が９０度折り曲げられて対物レンズ９１に向かう。その際、ツインレーザ光源４から出射された第１および第２のレーザ光の一部は、ハーフミラー５２の部分反射面を透過して、モニター光としてフロントモニタ用受光素子５６に導かれる。このフロントモニタ用受光素子５６でのモニター結果は、駆動用ＩＣを介してツインレーザ光源４にフィードバックされ、ツインレーザ光源４から出射されるレーザ光の強度が制御される。
【００２８】
一方、光記録ディスクからの戻り光は、対物レンズ９１、立ち上げミラー５９を逆に戻り、コリメートレンズ５３、ハーフミラー５２を介してセンサーレンズ５４に向けて出射され、このセンサーレンズ５４によって非点収差が付与された後、信号検出用受光素子５５に入射し、信号検出用受光素子５５で検出される。この信号検出用受光素子５５で検出される戻り光には、第１および第２のレーザ光が回折素子５１で回折された３ビームが含まれており、例えば、３ビームのうち、０次光からなるメインビームよって信号の再生が行われるとともに、０次光や±１次回折光からなるサブビームの検出結果を用いて対物レンズ９１のフォーカシングエラー信号やトラッキングエラー信号の検出が行われる。このようにして検出されたフォーカシングエラー信号やトラッキングエラー信号の検出結果に基づいて、駆動用ＩＣは対物レンズ駆動機構９を制御する。
【００２９】
このように本形態では、共通の対物レンズ９１により第１のレーザ光および第２のレーザ光による記録、再生を行うため、対物レンズ９１については、同心円状の溝や段差により回折格子が形成された２波長レンズが用いられている。このため、本形態によれば、対物レンズ９１を共用しても、第１のレーザ光および第２のレーザ光の双方について、表面保護層の厚さが異なる記録層を備えた光記録ディスクに対応することができる。
【００３０】
［各部材の詳細説明］
図６（ａ）、（ｂ）は、本発明を適用した光ヘッド装置に用いたメインフレームを斜め上方から見たときの斜視図、およびメインフレームを斜め下方から見たときの斜視図である。図７（ａ）〜（ｅ）は各々、図６に示すメインフレームの平面図、底面図、左側面図、右側面図、およびＭ−Ｍ断面図である。図８（ａ）、（ｂ）は各々、本発明を適用した光ヘッド装置に用いたサブフレームを斜め上方からみたときの斜視図、および斜め下方からみたときの斜視図である。図９（ａ）〜（ｅ）は各々、図８に示すサブフレームの平面図、底面図、正面図、左側面図および右側面図である。図１１は、立ち上げミラー及び連結部材が取り付けられた状態での図６に示すメインフレームを斜め下方から見たときの斜視図である。図１２は、図１１に示す連結部材の平面図である。図１３は、図１１に示す連結部材の斜視図である。
【００３１】
（装置フレーム２の構成）
本形態の光ヘッド装置１において、装置フレーム２は、図６および図７に示す樹脂製の枠状部品からなるメインフレーム２１と、図８および図９に示す金属製のサブフレーム２２とから構成されており、サブフレーム２２は、図２〜図４に示すように、メインフレーム２１の内側のサブフレーム搭載領域２１０に配置された状態でメインフレーム２１に保持されている。図６および図７に示すように、メインフレーム２１の方には第１の軸受部２１１および第２の軸受部２１２などが形成されている。装置フレーム２の内部は、図３に示すように、サブフレーム２２が配置されたサブフレーム搭載領域２１０と、対物レンズ駆動機構９が配置された対物レンズ駆動機構搭載領域２３０とに区画されている。なお、サブフレーム２２は、例えば、亜鉛合金ダイカスト品である。サブフレーム搭載領域２１０と対物レンズ駆動機構搭載領域２３０とは、その長さ方向の中心から第１の軸受部２１１の方に偏った位置にサブフレーム搭載領域２１０が形成され、第２の軸受部２１２の方に偏った位置に対物レンズ駆動機構搭載領域２３０が形成されている。
【００３２】
本形態では、ツインレーザ光源４、回折素子５１、ハーフミラー５２、コリメートレンズ５３、センサーレンズ５４、信号検出用受光素子５５、およびフロントモニタ用受光素子５６は、サブフレーム２２に搭載された状態でメインフレーム２１に搭載されている。これに対して、立ち上げミラー５９は、メインフレーム２１に対して直接、搭載されている。
【００３３】
すなわち、図６に示すように、メインフレーム２１の内壁には、サブフレーム搭載領域２１０と、対物レンズ駆動機構９搭載領域２３０との境界領域において、図示しない主軸と副軸の長尺方向に、互いに対向するようにして延設された２箇所の固定部としての一対の延設部２２０ａ、２２０ｂが形成されている。この延設部２２０ａ、２２０ｂの互いに対向する対抗面の間に、立ち上げミラー５９の反射面と裏面５９１を繋ぐ側壁部５９２の下部側が配設され、ＵＶ硬化型の接着剤８５を用いて固定されている。また、一対の延設部２２０ａ、２２０ｂは、曲げ弾性力がメインフレーム２１より強いステンレスなどの材質によって形成された連結部材１００によって連結されている。このようにして、一対の延設部２２０ａ、２２０ｂに固定された立ち上げミラー５９は、反射面と裏面５９１を繋ぐ下面５９３が、連結部材１００の切り欠き部としての露出穴１０１から露出している。また、この露出穴１０１からは、一対の延設部２２０ａ、２２０ｂの一部も露出しており、図１０（ａ）及び図１１に示すように、一対の延設部２２０ａ、２２０ｂの一部、立ち上げミラー５９の下面５９３、および露出穴１０１の周縁部の全てに跨るように接着剤８５が塗布されている。なお、対物レンズ９１を駆動するための対物レンズ駆動機構９は、ヨーク９２がメインフレーム２１に固定されることにより、メインフレーム２１上に搭載されている。
【００３４】
図１２及び図１３に示すように、連結部材１００は、立ち上げミラー５９の下面５９３を露出させる露出穴１０１と、露出穴１０１の両側に配置されて余分に塗布された接着剤８５を外部に逃すための一対の逃がし穴１０２ａ、１０２ｂと、逃がし穴１０２ａ、１０２ｂの近傍の側壁であってメインフレーム２１の形状に合う形状に形成された位置決め用壁１０３ａ、１０３ｂと、連結部材１００の剛性を上げるための曲げ部１０４とを備えている。
【００３５】
メインフレーム２１において、サブフレーム搭載領域２１０を両側で挟む２箇所は、サブフレーム２２に対する位置決め突起２１８、２１９を各々備えた第１のサブフレーム連結領域２１３と第２のサブフレーム連結領域２１４になっており、第１のサブフレーム連結領域２１３は、第１の軸受部２１１が位置する側で隣接する端部領域２１５の斜辺部の端部から屈曲して延びる部分として形成されている。一方、第２のサブフレーム連結領域２１４は、端部領域２１５の端部から円弧状の湾曲部分への切り換わる部分に形成されている。
【００３６】
ここで、第１のサブフレーム連結領域２１３および第２のサブフレーム連結領域２１４はいずれも、端部領域２１５より厚さ寸法が薄く、端部領域２１５より低くなっている。従って、メインフレーム２１において、第１のサブフレーム連結領域２１３と端部領域２１５との境界領域２１６の上面、および第２のサブフレーム連結領域２１４と端部領域２１５との境界領域２１７の上面にはそれらの厚さの差に相当する段差が形成されているが、本形態では、２つの境界領域２１６、２１７の上面はいずれも、端部領域２１５側から第１のサブフレーム連結領域２１３側および第２のサブフレーム連結領域２１４側に向かって厚さ寸法が漸減するテーパ面になっている。
【００３７】
また、第１のサブフレーム連結領域２１３は端部領域２１５と比較して幅寸法が全体に大きく幅広になっている。また、第２のサブフレーム連結領域２１４において端部領域２１５に近い領域は、第１のサブフレーム連結領域２１３と同等な幅広になっている。
【００３８】
図８および図９に示すように、サブフレーム２２は略矩形の平面形状を備えており、上面は全体として平坦に形成されている一方、下面側には各光学素子を位置決めするリブや凹凸などが形成されている。また、サブフレーム２２では、上面側から左右両側に向けて薄板状の第１の連結板部２２１と第２の連結板部２２２が延びている。ここで、第１の連結板部２２１には、メインフレーム２１の位置決め突起２１８が嵌る長穴２２３が貫通穴として形成され、第２の連結板部２２２には、メインフレーム２１の位置決め突起２１９が嵌る丸穴２２４が貫通穴として形成されている。
【００３９】
従って、サブフレーム２２を、図１〜図４に示すように、メインフレーム２１に搭載するにあたっては、サブフレーム２２をメインフレーム２１のサブフレーム搭載領域２１０に配置した状態で、第１の連結板部２２１をメインフレーム２１の第１のサブフレーム連結領域２１３に重ね、第２の連結板部２２２をメインフレーム２１の第２のサブフレーム連結領域２１４に重ねる。その結果、メインフレーム２１の位置決め突起２１８、２１９は各々、第１の連結板部２２１の長穴２２３および第２の連結板部２２２の丸穴２２４に嵌り、サブフレーム２２の位置決めが行われる。この状態で、第１のサブフレーム連結領域２１３の外側端部、および第２のサブフレーム連結領域２１４の外側端部は、第１の連結板部２２１の端縁および第２の連結板部２２２位の端縁よりも外側にはみ出しており、第１のサブフレーム連結領域２１３および第２のサブフレーム連結領域２１４では、第１の連結板部２２１の端縁および第２の連結板部２２２の端縁より段部２２８、２２９（図４（ａ）参照）が形成される。
【００４０】
従って、この段部２２８、２２９にＵＶ硬化型の接着剤を塗布した後、ＵＶ照射により接着剤を固化させれば、第１のサブフレーム連結領域２１３および第２のサブフレーム連結領域２１４に第１の連結板部２２１および第２の連結板部２２２が接着固定される。その際、接着剤は、第１のサブフレーム連結領域２１３と第１の連結板部２２１との隙間、および第２のサブフレーム連結領域２１４と第２の連結板部２２２との隙間にも入り込んでいるので、第１のサブフレーム連結領域２１３および第２のサブフレーム連結領域２１４と、第１の連結板部２２１および第２の連結板部２２２とは面接着状態なる。
【００４１】
（サブフレーム２２への各種光学素子の実装構造）
再び、図３〜図５において、サブフレーム２２には、中央領域にハーフミラー５２が接着固定され、ハーフミラー５２の搭載位置の側方には回折素子５１が実装されている。ここで、回折素子５１は板バネ５１０により付勢された状態で接着固定されている。
【００４２】
また、サブフレーム２２において、回折素子５１の搭載位置の側方にはツインレーザ光源４が配置されている。ここで、ツインレーザ光源４は、筒状のケースにレーザチップ４１が収納されたキャンタイプではなく、レーザチップ４１が実装されたサブマウント４３が放熱フィン４４の上面に搭載されたフレームタイプのレーザ光源であり、放熱フィン４４の両端部は、サブフレーム２２に接着剤で固定されている。なお、フレームタイプのレーザ光源では、放熱フィン４４に対してレーザチップ４１が実装されたサブマウント４３を囲むように樹脂部分４５がモールドされている。
【００４３】
［光ヘッド装置１の製造方法］
このように構成した光ヘッド装置１を組み立てる際には、まず、図５に示すように、サブフレーム２２に対して、ツインレーザ光源４、回折素子５１、ハーフミラー５２、センサーレンズ５４、コリメートレンズ５３を搭載する。この段階では、信号検出用受光素子５５やフロントモニタ用受光素子５６はサブフレーム２２に搭載しない。また、回折素子５１およびセンサーレンズ５４は各々、板バネ５１０、５４０で仮固定されているだけである。
【００４４】
また、この段階では、フレキシブル基板３も接続されていないが、本形態では、ツインレーザ光源４に対してはリード線１１が接続されている。このため、リード線１１から電源供給を行って、例えば、ツインレーザ光源４のうち、ＤＶＤ用の第１のレーザチップを点灯させ、コリメートレンズ５３から出射される第１のレーザ光を観察する。そして、コリメートレンズ５３から出射された光がコリメート光となるように、ツインレーザ光源４の光軸上の位置を調整する。その際、ツインレーザ光源４については光軸に直交する位置も調節する。次に、ＣＤ用の第２のレーザチップを点灯させて、コリメートレンズ５３から出射される第１のレーザ光を観察し、ツインレーザ光源４の角度位置や回折素子５１の位置を調節する。その後、ツインレーザ光源４を接着剤で固定する。
【００４５】
さらに、信号生成用受光素子をロボットなどで保持した状態で、ツインレーザ光源４から第１のレーザ光および第２のレーザ光を出射させるとともに、コリメートレンズ５３から出射された光を、光記録ディスクに代わる検査用ミラーで反射させ、その反射光が信号検出用受光素子５５の所定位置にスポットを形成するように、信号生成用受光素子５５およびセンサーレンズ５４の位置調整を行う。このような位置調整を行った後、信号検出用受光素子５５およびセンサーレンズ５４をサブフレーム２２に接着固定する。
【００４６】
このような調整をサブフレーム２２上で行った後、図４に示すように、ＵＶ硬化型の接着剤８５によって立ち上げミラー５９が搭載されたメインフレーム２１にサブフレーム２２を搭載する。この段階では、対物レンズ駆動機構９はメインフレーム２１に搭載されていない。
【００４７】
サブフレーム２２のメインフレーム２１への搭載作業を行う際には、サブフレーム２２の第１の連結板部２２１および第２の連結板部２２２を各々、メインフレーム２１の第１のサブフレーム連結部２１３および第２のサブフレーム連結部２１４に重ね、第１の連結板部２２１および第２の連結板部２２２に形成されている長穴２２３および丸穴２２４にメインフレーム２１の位置決め突起２１８、２１９が嵌るように位置合わせを行う。また、ツインレーザ光源４の第１のレーザチップ４１を点灯させ、立ち上げミラー５９からの出射光を観察し、サブフレーム２２の傾きなどを調整する。
【００４８】
このような調整作業を行った後、第１のサブフレーム連結領域２１３および第２のサブフレーム連結領域２１４において、第１の連結板部２２１の端縁および第２の連結板部２２２の端縁より形成された段部２２８、２２９にＵＶ硬化型の接着剤を塗布した後、ＵＶ照射により接着剤を固化させ、第１のサブフレーム連結領域２１３および第２のサブフレーム連結領域２１４に第１の連結板部２２１および第２の連結板部２２２を接着固定する。その際、接着剤は、第１のサブフレーム連結領域２１３と第１の連結板部２２１との隙間、および第２のサブフレーム連結領域２１４と第２の連結板部２２２との隙間にも入り込んでいるので、第１のサブフレーム連結領域２１３および第２のサブフレーム連結領域２１４と、第１の連結板部２２１および第２の連結板部２２２とは面接着状態なる。
【００４９】
次に、図３に示すように、メインフレーム２１に対物レンズ駆動機構９を搭載する。また、駆動用ＩＣ３０が実装されたフレキシブル基板３を搭載する。そして、フレキシブル基板３の端部３１、３２、３３、３４を信号検出用受光素子５５が実装された配線基板５５０、ツインレーザ光源４が実装された光源実装基板４０、およびフロントモニタ用受光素子５６に接続する。
【００５０】
次に、フレキシブル基板３との間に放熱シート１８を介在させた状態でアクチュエータカバー７を装置フレーム２に取り付ける。また、装置フレーム２の上面には上面カバー６を取り付け、装置フレーム２の底面に下面カバー８及び連結部材１００を取り付ける。ここで、装置フレーム２の底面に連結部材１００を取り付けると、連結部材１００の露出穴１０１から立ち上げミラー５９の下面５９３およびメインフレーム２１の一対の延設部２２０ａ、２２０ｂが露出しており、最後に、この下面５９３および一対の延設部２２０ａ、２２０ｂを露出穴１０１の周縁部に接着固定させることにより、光ヘッド装置１が完成する。なお、装置フレーム２への連結部材１００の固定は、まず装置フレーム２と連結部材１００とをエポキシ系の接着剤で接着した後、露出穴１０１にＵＶ硬化型の接着剤８５を流し入れてＵＶ照射により接着剤８５を固化させることにより行う。
【００５１】
［本形態の主な効果］
以上に説明したように、光ヘッド装置１は、メインフレーム２１の内壁側の一対の延設部２２０ａ、２２０ｂで立ち上げミラー５９が固定されるので、従来より薄型化することができる。また、光ヘッド装置１の連結部材１００は、板材であるので、光ヘッド装置１の薄型化の妨げにならない。
【００５２】
また、光ヘッド装置１は、一対の延設部２２０ａ、２２０ｂを連結する連結部材１００を有しており、薄型化してもメインフレーム２１の剛性を維持することができるので、メインフレーム２１の共振を抑えることができ、結果としてメインフレーム２１に固定された立ち上げミラー５９の共振も抑えることができる。したがって、光ヘッド装置１は、立ち上げミラー５９から対物レンズ９１への入射光を安定化させることができるので、光記録媒体に対する再生や記録を安定して行うことができる。
【００５３】
また、光ヘッド装置１は、下面カバー８及び連結部材１００が別部材であるので、サブフレーム２２に搭載されている信号検出用受光素子５５などの部品のメンテナンスを行うときにも、下面カバー８を取り外すのみで連結部材１００を取り外す必要がない。したがって、光ヘッド装置１は、サブフレーム２２に搭載されている信号検出用受光素子５５などの部品のメンテナンスを行うときに、連結部材１００に固定されている立ち上げミラー５９を取り外さなくても良い。
【００５４】
また、光ヘッド装置１は、立ち上げミラー５９が連結部材１００に固定されているので、立ち上げミラー５９の周辺の剛性を向上することができる。したがって、光ヘッド装置１は、立ち上げミラー５９から対物レンズ９１への入射光を安定化させることができ、光記録媒体に対する再生や記録をより安定して行うことができる。なお、光ヘッド装置１は、立ち上げミラー５９が連結部材１００に固定されていなくても良い。
【００５５】
また、光ヘッド装置１は、それ自体では剛性が低い樹脂製のメインフレーム２１であっても連結部材１００によって立ち上げミラー５９の周辺の剛性を向上することができるので、立ち上げミラー５９から対物レンズ９１への入射光を安定化させることができ、光記録媒体に対する再生や記録をより安定して行うことができる。
【００５６】
また、光ヘッド装置１は、立ち上げミラー５９の一部が外部に露出する露出穴１０１を連結部材１００が有しているので、露出穴１０１に接着剤８５を満たすだけで立ち上げミラー５９と連結部材１００とを十分に接着することができる。なお、光ヘッド装置１は、例えばかしめなど、接着以外の方法によって連結部材１００がメインフレーム２１に固定されるようになっていても良い。
【００５７】
なお、連結部材１００は、曲げ部１０４を有しているので剛性を上げることができるが、曲げ加工以外の方法によって剛性を上げるようになっていても良い。例えば、連結部材１００は、一部に絞り加工が施されることによって剛性を上げるようになっていても良い。また、連結部材１００は、剛性を上げるための加工が施されていなくても良い。
【図面の簡単な説明】
【００５８】
【図１】本発明を適用した光ヘッド装置の平面図である。
【図２】（ａ）〜（ｅ）は各々、図１に示す光ヘッド装置において、フレキシブル基板の一部を除去してその本体部分を拡大した平面図、底面図、左側面図、右側面図、およびＯ−Ｏ断面図である。
【図３】（ａ）、（ｂ）は各々、図１に示す光ヘッド装置の本体部分から上面カバー、底面カバーおよびアクチュエータカバーを取り外した状態の平面図および底面図である。
【図４】（ａ）〜（ｅ）は各々、図３に示す状態からフレキシブル基板および対物レンズ駆動機構を取り外した状態の平面図、底面図、左側面図、右側面図、およびＮ−Ｎ断面図である。
【図５】（ａ）〜（ｃ）は各々、図４に示す状態からサブフレームを抜き出して示す平面図、底面図およびＪ−Ｊ断面図である。
【図６】（ａ）、（ｂ）は、本発明を適用した光ヘッド装置に用いたメインフレームを斜め上方から見たときの斜視図、およびメインフレームを斜め下方から見たときの斜視図である。
【図７】（ａ）〜（ｅ）は各々、図６に示すメインフレームの平面図、底面図、左側面図、右側面図、およびＭ−Ｍ断面図である。
【図８】（ａ）、（ｂ）は各々、図１に示す光ヘッド装置に用いたサブフレームを斜め上方からみたときの斜視図、および斜め下方からみたときの斜視図である。
【図９】（ａ）〜（ｅ）は各々、図８に示すサブフレームの平面図、底面図、正面図、左側面図および右側面図である。
【図１０】（ａ）、（ｂ）は各々、図２に示す光ヘッド装置を斜め下方から見たときの斜視図、およびＰ−Ｐ断面図である。
【図１１】立ち上げミラー及び連結部材が取り付けられた状態での図６に示すメインフレームを斜め下方から見たときの斜視図である。
【図１２】図１１に示す連結部材の平面図である。
【図１３】図１１に示す連結部材の斜視図である。
【符号の説明】
【００５９】
１  光ヘッド装置
２  装置フレーム
４  ツインレーザ光源（発光素子）
９  対物レンズ駆動機構（対物レンズ駆動装置）
２１  メインフレーム
２２  サブフレーム
５５  信号検出用受光素子
５９  立ち上げミラー
８５  接着剤
９１  対物レンズ
１００  連結部材
１０１  露出穴（切り欠き部）
２２０ａ、２２０ｂ  延設部（固定部）
【図１】
2008299916.tif 000003
【図２】
2008299916.tif 000004
【図３】
2008299916.tif 000005
【図４】
2008299916.tif 000006
【図５】
2008299916.tif 000007
【図６】
2008299916.tif 000008
【図７】
2008299916.tif 000009
【図８】
2008299916.tif 000010
【図９】
2008299916.tif 000011
【図１０】
2008299916.tif 000012
【図１１】
2008299916.tif 000013
【図１２】
2008299916.tif 000014
【図１３】
2008299916.tif 000015